(57)【要約】【課題】見栄えがよく興趣性に優れた目作動玩具を提供する。【解決手段】顔の外皮の目の部位に孔が形成され、該孔の内方に眼球体が前記孔に対して接離する方向に動作可能となるように設けられるとともに、前記外皮の内方に瞼体が上下方向に動作可能となるように設けられ、目を開けた状態では前記眼球体が前記孔に接近した状態に位置し、目を閉じる際には、前記瞼体が前記孔と前記眼球体との間に侵入可能となるように前記瞼体の動作に連動して前記眼球体が前記孔から離れる方向に動作するように構成され、目を閉じる際に前記孔と前記眼球体との間に前記瞼体の移動域が生じるように構成されている。【選択図】図１
2005152516.tif 000002
【特許請求の範囲】
【請求項１】
顔の外皮の目の部位に孔が形成され、該孔の内方に眼球体が前記孔に対して接離する方向に動作可能となるように設けられるとともに、前記外皮の内方に瞼体が上下方向に動作可能となるように設けられ、目を開けた状態では前記眼球体が前記孔に接近した状態に位置し、目を閉じる際には、前記瞼体が前記孔と前記眼球体との間に侵入可能となるように前記瞼体の動作に連動して前記眼球体が前記孔から離れる方向に動作するように構成され、目を閉じる際に前記孔と前記眼球体との間に前記瞼体の移動域が生じるように構成されていることを特徴とする目作動玩具。
【請求項２】
前記眼球体は、スプリングによって前記孔に接近する方向に付勢されるとともに、前記孔と前記眼球体との間に侵入する際に前記スプリングの付勢力に抗して動作することを特徴とする請求項１に記載の目作動玩具。
【請求項３】
前記瞼体の一部は、前記孔と前記眼球体との間に侵入する際に当該眼球体に対して摺動するように構成され、その摺動によって前記眼球体が前記スプリングの付勢力に抗して動作するように構成されていることを特徴とする請求項２に記載の目作動玩具。
【請求項４】
前記眼球体の外面には上下方向に延びる溝が形成され、前記瞼体の内面には突起が形成され、前記突起が前記溝の底面に対して摺動するように構成されていることを特徴とする請求項３に記載の目作動玩具。
【請求項５】
前記瞼体は横軸を中心に上下に揺動可能に構成されるとともにレバーによって操作可能に構成され、前記レバーの自由端側は後頭部から突出していることを特徴とする請求項１から４いずれか一に記載の目作動玩具。
【発明の詳細な説明】
【技術分野】
【０００１】
本発明は、目作動玩具に関するものである。
【背景技術】
【０００２】
従来、人形玩具にあっては目の開閉を行うものが知られている（例えば特許文献１）。この人形玩具にあっては、目の開閉の表現は、人形の外皮の後方に位置する瞼体を眼球体の前側で上下動させることによって行われている。
【特許文献１】特開平６−３０４３３８号公報（図３）
【発明の開示】
【発明が解決しようとする課題】
【０００３】
しかしながら、上記特許文献１における人形玩具にあっては、眼球体の前側に瞼体の移動域を設けるため、眼球体を目孔から奥まった位置に設けている。したがって、目孔の縁部と眼球体との間に隙間が生じてしまい、見栄えが悪いという問題がある。
【０００４】
そこで、本発明は、かかる問題点に鑑みなされたもので、見栄えがよく興趣性に優れた目作動玩具を提供することを目的とする。
【課題を解決するための手段】
【０００５】
請求項１に記載の目作動玩具は、顔の外皮の目の部位に孔が形成され、該孔の内方に眼球体が前記孔に対して接離する方向に動作可能となるように設けられるとともに、前記外皮の内方に瞼体が上下方向に動作可能となるように設けられ、目を開けた状態では前記眼球体が前記孔に接近した状態に位置し、目を閉じる際には、前記瞼体が前記孔と前記眼球体との間に侵入可能となるように前記瞼体の動作に連動して前記眼球体が前記孔から離れる方向に動作するように構成され、目を閉じる際に前記孔と前記眼球体との間に前記瞼体の移動域が生じるように構成されていることを特徴とする。
【０００６】
請求項２に記載の目作動玩具は、請求項１に記載の目作動玩具において、前記眼球体は、スプリングによって前記孔に接近する方向に付勢されるとともに、前記孔と前記眼球体との間に侵入する際に前記スプリングの付勢力に抗して動作することを特徴とする。
【０００７】
請求項３に記載の目作動玩具は、請求項２に記載の目作動玩具において、前記瞼体の一部は、前記孔と前記眼球体との間に侵入する際に当該眼球体に対して摺動するように構成され、その摺動によって前記眼球体が前記スプリングの付勢力に抗して動作するように構成されていることを特徴とする。
【０００８】
請求項４に記載の目作動玩具は、請求項３に記載の目作動玩具において、前記眼球体の外面には上下方向に延びる溝が形成され、前記瞼体の内面には突起が形成され、前記突起が前記溝の底面に対して摺動するように構成されていることを特徴とする。
【０００９】
請求項５に記載の目作動玩具は、請求項１から４いずれか一に記載の目作動玩具において、前記瞼体は横軸を中心に上下に揺動可能に構成されるとともにレバーによって操作可能に構成され、前記レバーの自由端側は後頭部から突出していることを特徴とする。
【発明の効果】
【００１０】
請求項１の発明によれば、目を開けた状態では前記眼球体が孔に接近した状態に位置し、目を閉じる際には、瞼体が孔と眼球体との間に侵入可能となるように瞼体の動作に連動して眼球体が孔から離れる方向に動作するので、目を開けている状態においては眼球体が顔の孔に限りなく近付くことから、見栄えがよく興趣性に優れた目作動装置が実現できる。
【００１１】
請求項２の発明によれば、目を開けた状態では眼球体がスプリングの付勢力によって孔に接近し、目を閉じる際には孔と眼球体との間に瞼体が侵入してスプリングの付勢力に抗して眼球体が動作するので、眼球体を動かすための構造が比較的簡素なものとなる。
【００１２】
請求項３の発明によれば、孔と眼球体との間に侵入する際に瞼体の一部が眼球体に対して摺動し、その摺動によって眼球体がスプリングの付勢力に抗して動作するので、さらに構造が簡素なものとなる。
【００１３】
請求項４の発明によれば、瞼体内面の突起が眼球体外面の溝の底面に対して摺動するため、他の部分で摺接することを回避できるので、眼球などを傷つける心配がなくなる。
【００１４】
請求項５の発明によれば、後頭部から突出するレバーを操作することによって瞼体が動作するので、目を閉じるタイミング等を人が任意にコントロールでき、面白みのある目作動装置が実現できる。
【発明を実施するための最良の形態】
【００１５】
以下に、本発明に係る目作動玩具を図面を参照しながら説明する。
図１は本発明に係る目作動装置の分解斜視図、図２は目を開けた状態を示した機構図、図３は目を閉じた状態を示した機構図である。
【００１６】
図１に示すように、人形玩具の頭部１は、顔２を形作る外皮３と、後頭部４を形作る外皮５とによって外郭が構成されている。このうち外皮３には目孔６，６が形成され、一方、外皮５には中央部に縦方向に長い矩形孔７が形成されている。この外皮３と外皮５は、ねじ等によって互いに結合されて、中空である頭部１が形作られる。そして、頭部１の中空部には眼球体８と瞼体９が配設される。
【００１７】
眼球体８は、瞳１０，１０が描かれた前部板体１１と、前部板体１１の両側端から後方へ向けて延設された側部板体１２，１２とによって、上方から見てほぼＵ字形に形成されている。このうち前部板体１１の幅方向中央、即ち、瞳１０，１０間に、縦方向の溝１５が形成されている。一方、側部板体１１の前部にはブラケット１３，１３がそれぞれ幅方向外方に向けて突出するように付設され、各ブラケット１３には孔１４が形成されている。また、各側部板体１２の後端部には後端に開口する切欠き１６が形成されている。
【００１８】
この眼球体８は、各ブラケット１３の孔１４を、外皮３，４に掛け渡したロッド１７に嵌合させることによって、頭部１に取り付けられる。そして、眼球体８はロッド１７，１７に沿って頭部１の前後方向に移動自在となっている。また、眼球体８の前部板体１１の後側にはスプリング１９が設置される。そして、このスプリング１９によって、眼球体８は目孔６，６方向に向けて付勢されている。
【００１９】
瞼体９は、前部板体２１と、前部板体２１の両側端上部から後方に向けて突出するように付設されたアーム２２，２２（一方のアーム２２は図示せず）と、アーム２２，２２の後端に掛け渡すように付設された軸２３と、軸２３から後方に突出したレバー２４とによって構成されている。このうち前部板体２１の内面には幅方向中央下部に突起２５が形成されている。
【００２０】
この瞼体９は、軸２３を外皮３の内側面に回動自在に支持させ、突起２５を眼球体８の溝１５に入り込ませることによって、頭部１に取り付けられる。その際、外皮５の長孔７にレバー２４の自由端側が挿入され、その先端部は外皮５から突出する。また、軸２３の両端部は切欠き１６，１６に挿入される。
【００２１】
なお、図１に示す人形の下顎４０は軸４１，４１を中心に上下方向に動作自在となるように外皮３に取り付けられる。この下顎４０の後端にはレバー４２が付設され、このレバー４２は、眼球体８のレバー２４の下方に当接可能となっている。そして、下顎４０は、レバー２４の上下動に伴って閉じたり開いたりするようになっている。
また、スプリング１９は、特に限定はされないが、瞼体９のアーム２２，２２の間に挿通されている。
【００２２】
以下に、上記した目の構造における眼球体８および瞼体９の動作を説明する。
目を開けた状態においては、図２に示したように、瞼体９が眼球体８の上方に位置し、顔２の目孔６の視界から外れた位置にある。
この状態では、眼球体８は、スプリング１９の付勢力によって、顔２の外皮３の内面に当接している。
【００２３】
目を開けた状態から、レバー２４を上方へ操作すると、瞼体９は、下方へ移動され、目を閉じる。それに伴なって、眼球体８はスプリング１９の付勢力に抗して後方へ移動され、瞼体９の移動を許容する。
【００２４】
なお、上記実施の形態では、瞼体９をレバー２４によって手動操作させているが、瞼体９をモータ等のアクチュエータによって作動させることもできる。
【００２５】
また、上記実施の形態では、眼球体８を瞼体９によって直接移動させているが、眼球体８を瞼体９にリンク等によって連係させ、瞼体９の作動に眼球体８を連動させてもよく、また、眼球体８および瞼体９をそれぞれアクチュエータによって作動させるようにし、瞼体９の作動に同期させてさせて眼球体８を移動させてもよい。
【図面の簡単な説明】
【００２６】
【図１】本発明に係る目作動玩具を概念的に示した分解斜視図である。
【図２】目を開けた状態を示した機構図である。
【図３】目を閉じた状態を示した機構図である。
【符号の説明】
【００２７】
１  頭部
２  顔
３  外皮
４  後頭部
５  外皮
６  目孔
８  眼球体
９  瞼体
１９  スプリング
【図１】
2005152516.tif 000003
【図２】
2005152516.tif 000004
【図３】
2005152516.tif 000005